(57)【要約】【課題】端子の回路基板との間の溶接固定を確保できる固持部品を有するスマートカードコネクタを提供する。【解決手段】カードコネクタ１００は、絶縁本体２、複数の弾性端子３及び固持部品４で構成されている。絶縁本体２は、弾性端子３と一体成型で形成され、絶縁本体２の両側端の止め縁の中部に凹み部が設けられ、若干の凸塊２４が凹み部を突き出ている。固持部品結構は、二つの相対する固持部品４を含み、凸塊２４とロックするための溝口４３の側壁４０及び滑切断面がある上下両側面で構成されている。固持部品４は絶縁本体２の凸塊２４と相互にロックして、凸塊２４の上下両端は溝口４３を通過して固持部品４とロックした上下両側面を押し付ける。固持部品４が絶縁本体２と結合可能であり、固持部品４の下側面の両端のフック部は回路基板とロック結合する構造である。【選択図】図１
0003127983.tif 000002
【実用新案登録請求の範囲】
【請求項１】
絶縁本体（２）、複数の弾性端子（３）及び固持部品を備え、
該絶縁本体（２）は該弾性端子（３）と一体成型で形成され、該絶縁本体（２）の両側端の止め縁（２１）の中部に凹み部（２３）が設けられ、若干の凸塊（２４）が該凹み部（２３）を突出し、固持部品構造部は二つの相対する固持部品（４）を有し、該固持部品（４）はコの字型の構造であり、凸塊（２４）とロックするための溝口（４３）の側壁（４０）及び滑切断面（４４）が設けられている上下両側面を有し、該固持部品（４）は該絶縁本体（２）の凸塊（２４）および両者の該滑切断面（４４）或いは斜切断面（２４１）を通じて相互に弾性移動することによりロック可能であり、該凸塊（２４）の上下両端は該溝口（４３）を通過して該固持部品とロックした上下両側面が押し付けられ、該固持部品（４）が絶縁本体（２）と結合可能であり、該固持部品（４）の下側面の両端には下向きに曲折したフック部（４２）が設けられ、該フック部（４２）は矢じり形状であり、回路基板とロック結合可能であるスマートカードコネクタ。
【請求項２】
該絶縁本体（２）の三側端辺には、突出している止め縁（２１）が形成され、該止め縁（２１）にはスマートカードを収容可能な収容部（２２）が形成され、該スマートカードが該収容部（２２）に置かれる時、すべての止め縁（２１）がスマートカードに対して係止されることを特徴とする請求項１に記載のスマートカードコネクタ。
【請求項３】
該絶縁本体（２）は、該弾性端子（３）と一体に成形され、該弾性端子（３）の一端には溶接部（３３）を有する溶接脚片（３４）が設けられ、すべての溶接部（３３）は該絶縁本体（２）による止め縁なしの一端に設けられ、該溶接部（３３）は該溶接脚片（３４）に連接された該溶接部（３３）による連結部分が傾斜状（３５）となっており、該傾斜状（３５）の部分は回路基板に対して緩衝作用を果たすことが可能であることを特徴とする請求項１に記載のスマートカードコネクタ。
【考案の詳細な説明】
【技術分野】
【０００１】
本考案は、固持部品を有するスマートカード（ｓｍａｒｔ  ｃａｒｄ）コネクタに関して、特に、コネクタの両側に固持部品構造部を設計するスマートカードコネクタであることに関する。
【背景技術】
【０００２】
無線通信の急激な発展に従って、携帯電話あるいは個人のデジタルのプロセッサー（ＰＤＡ）にとってスマートカードコネクタに対する要求がいっそう高くなって、一般のスマートカードコネクタは絶縁本体、複数の弾性端子及びハウジングを含み、当該絶縁本体には多数の端子収容溝を設けて、複数の端子をその中に挿入させて、しかも電気回路基板と導通して、絶縁本体とハウジングは収容空間を形成して、スマートカードをその中に入れて、当該幾つかの弾性端子の弾性接触部を挿入したスマートカードと相応して電気的に導通する部分を通過して電気的に接続して、当該スマートカードの接続機能を実現する。しかしながら、そんな設計は、下記の欠点を現す。現在、当該スマートカードの体積はますます小さくなる情況で、端子は絶縁本体に収容される嵌入式を採用して、それによって、端子を端子収容溝に入れる深度を制御し難くして、組立にも不便なことをもたらして、わりに多い組立の時間とコストを消費して、生産効率が下がることを招く。それに、以前のスマートカードの設計は、ハウジングを有して、しかもロック固定する機構を採用して、一体の密封を形成した設計で、多すぎる回路基板の空間を占用するだけではなく、しかも組立が困難となって、カードを挿入し難い等の欠点を有する。また、当該カードコネクタは、溶接を通じて端子を回路基板に固定させる方式で当該コネクタを回路基板に固定させて、何回も挿抜した後、端子と回路基板との間に緩みを生じる。
上述したように、新規のスマートカードコネクタを研究する必要があって、それによって、現在の業界の多くの要求を満足する。
【考案の開示】
【考案が解決しようとする課題】
【０００３】
本考案の主な目的は、固持部品を有するスマートカードコネクタを提供して、二つの絶縁本体にロックされた固持部品を通過して、しかも当該固持部品のフック部（hook portion）を回路基板に挿入接続して溶接固定させて、当該固持部品と回路基板との間の溶接固定作用を介してスマートカードの挿入接続に挿入接続力を提供して、そのため、端子の回路基板との間の溶接固定を確保することができる。
【０００４】
本考案のもう一つの目的は、固持部品を有するスマートカードコネクタを提供して、それは、一対の分離式しかも互補の固持部品を有して、それによって、固持部品は回路基板上の有限な空間を節約できて、しかもスマートカードをスマートカードコネクタにいっそう挿抜し易くなる。
本考案の他のもう一つの目的は、固持部品を有するスマートカードコネクタを提供して、弾性端子が絶縁本体と一体成型で形成されることを通じて、弾性端子の組立を簡単にして、そして、絶縁本体の厚さを下げて、組立時間及び生産コストを下げる目的を達することができる。
【課題を解決するための手段】
【０００５】
上述の目的を達成するため、本考案は、固持部品を有するスマートカードコネクタを提供して、当該スマートカードコネクタは絶縁本体、複数の弾性端子及び一対の固持部品で構成される。当該絶縁本体は、弾性端子と一体成型で形成して、絶縁本体の両側端の止め縁の中部に凹み部が設けられて、幾つかの凸塊が当該凹み部を突き出て、凸塊の上下両端には斜切断面を設けて、これらの凸塊は固持部品の溝口と相互にロック嵌合する構造部である。弾性端子の溶接部は、絶縁本体による止め縁（guarding edge）の一端に設けられて、弾性端子の溶接部構造部は曲折式を採用して、固持部品のフック部（hook portion）は回路基板に挿し入れられて接続する時、曲折した溶接部が回路基板に対して緩衝作用を果たすことができて、同時に、コネクタと回路基板との間を緊密に結合させることができる。当該固持部品組は、二つの単独で互いに補った固持部品を含み、この二つの固持部品の形状は似ていて、ただ曲折する方向は相反して、相対状を呈して、すべての固持部品は匚型の構造を呈して、若干の溝口が設計された側壁及び滑切断面が設計された上下両側面で構成される。当該固持部品は、絶縁本体の凸塊と両者の滑切断面或いは斜切断面を通じて相互に弾性滑動でロックして、凸塊の上下両端は溝口を通過して固持部品とロックした上下両側面を押し付けて、それによって、固持部品が絶縁本体としっかり結合することができる。固持部品の下側面の両端には若干の下向きに曲折したフック部を設けて、当該フック部は矢じりの形を呈して、それは、回路基板とロック結合する構造部であって、そのため、コネクタのロック固定する効果を増加する。
【０００６】
上述したように、本考案による分離式の固持部品を有するスマートカードコネクタを使用して、回路基板との間にいっそう堅固な溶接力を提供するだけではなく、端子が回路基板との間の溶接を保護して挿抜力で壊れない。当該固持部品の設計を使用して、コネクタをスマートカードに挿抜することを簡単にさせて、しかも組立ももっと容易となる。尚、弾性端子が絶縁本体と一体成型となることに対して、弾性端子の組立を次第に簡単にして、そして、絶縁本体の厚さを下げて、組立時間及び生産コストを下げる目的を達することができる。
更に、本考案の技術内容を説明するために、下記は実施例及び図面を合わせて詳細に説明する。
【考案を実施するための最良の形態】
【０００７】
もっと詳しく本考案を説明するために、添付した図面を参照して一つの好ましい実施例を例として説明する。
図１に示すように、本考案の一実施例による固持部品を有するスマートカードコネクタでは、当該コネクタ１００は絶縁本体２、複数の弾性端子３及び固持部品構造部（holding structure）で構成される。図２及び図３に示すように、当該絶縁本体２は、プラスチックの材料で成型されて、それは、平たい形状の板体を呈して、当該絶縁本体２の三側端辺には突き出る止め縁２１を形成して、当該止め縁２１にはスマートカードを収容できる収容部２２を形成して、スマートカードが収容部２２に置かれた時、すべての止め縁２１はスマートカードに対して止め定位の作用を生じる。収容部２２に若干の端子収容溝２２１が設けられて、端子３の接触部３２を収容することに用いられて、しかも端子収容溝２２１は絶縁本体２による止め縁２１なしの一端へ延伸して中空の通路（図示せず）が形成されて、当該通路は、絶縁本体２に端子３と一体成型されている時、端子３の固定部３１を固定することに用いられて、端子３の溶接部３３は通路を通過して当該絶縁本体２に伸び出す。当該絶縁本体２の両側端止め縁２１の中部には凹み部２３を設けて、若干の凸塊２４は当該凹み部２３を突き出て、当該凸塊２４の上下両端には斜切断面２４１を設けて、これらの凸塊２４は固持部品４の溝口４３と相互にロック嵌合する構造部である。
【０００８】
図３に示すように、端子３は、導電材料で製造されて、しかも適当な弾性を有して、当該弾性端子３は二つの種類の異なっている形態を備え、また、適当な曲折を通じて固定部３１、接触部３２及び溶接部３３を形成して、あらかじめ弾性端子３を当該絶縁本体２に設置させて、即ち、端子３と絶縁本体２はあらかじめ成型の方式を採用して一体で結合して、端子３の固定部３１は絶縁本体２の通路に固定されて、固定部３１の一端に接続された接触部３２は絶縁本体２の端子収容溝２２１を突き出て、スマートカードを押し付けることに用いられて、当該固定部３１の他の一端の溶接部３３は当該絶縁本体２を突き出て、溶接脚片３４に連接された当該溶接部３３による連体部分は傾斜状３５となって、固持部品４のフック部４２が回路基板と挿し接続する時、曲折した溶接部３３の傾斜状３５の設計は回路基板に対して緩衝の作用を果たすことができて、同時に、コネクタと回路基板との間を緊密に結合させることができる。
【０００９】
図４に示すように、固持部品構造部は左右二つの固持部品４を分けて、この二つの固持部品４の形状は似ていて、ただ曲折する方向が相反となって、相対状を呈する。当該固持部品４は、コの字型の構造を呈して、垂直立ちの側壁４０Ａを主体として一端が上向きに曲折してレベルを呈する上側面であって、当該上側面は防脱片４１（anti-dislocating piece）であって、それは、スマートカードが上向きに収容部２２を離れることを防止できて、同時に、スマートカードを遮蔽する作用もできて、他の一端が下向きに曲折してレベルを呈する下側面であって、下側面の一側の両端には若干の下向きに曲折したフック部４２を設けて、当該フック部４２は矢じりの形を呈して、それは、回路基板とロック結合する構造部であって、そのため、コネクタのロック固定する効果を増加する。固持部品４の側壁４０Ａに若干の溝口４３が設計されて、上側面及び下側面の内表面には滑切断面４４を設けて、当該固持部品４と絶縁本体２の凸塊２４は両者の滑切断面４４或いは斜切断面２４１を通じて相互に弾性滑動でロックして、凸塊２４の上下両端は溝口４３を通過して固持部品４とロックした上下両側面を押し付けて、それによって、固持部品４が絶縁本体２としっかり結合することができる。
【００１０】
本実施例は、端子組と絶縁本体を鋳型の上で直接成型するので、すべての端子溶接部はコネクタの同一側にあって、そして、固持部品機構を絶縁本体の片側に設置して、一つの全体のカードコネクタを形成する。カードコネクタを回路基板と組み立てる時、固持部品上のフック部を回路基板に挿入固定させた後、弾性端子の溶接部は回路基板との間を相互に接触して押し付けて、そして、コネクタの溶接を行って、挿入する時、スマートカードをしっかりよく固定することができる。
本考案の実施例は、ただ本考案の説明に用いられて、本考案はまた他の実施態様に使われることができて、本考案の説明によって作られた他の変化の実施態様は本考案の類似な構造部と見なされて、本考案による請求の範囲に含まれる。
【図面の簡単な説明】
【００１１】
【図１】本考案の一実施例による固持部品を有するスマートカードコネクタを示す斜視図である。
【図２】本考案の一実施例による固持部品を有するスマートカードコネクタの絶縁本体を示す斜視図である。
【図３】本考案の一実施例による固持部品を有するスマートカードコネクタの弾性端子を示す斜視図である。
【図４】本考案の一実施例による固持部品を有するスマートカードコネクタの固持部品を示す斜視図である。
【符号の説明】
【００１２】
２：絶縁本体、３：弾性端子、４：固持部品、２１：止め縁、２２：収容部、２３：凹み部、２４：凸塊、３１：固定部、３２：接触部、３３：溶接部、３４：溶接脚片、４１：防脱片（anti-dislocating piece）、４２：フック部、４３：溝口、４４：滑切断面、１００：カードコネクタ、２２１：端子収容溝、２４１：斜切断面
【図１】
0003127983.tif 000003
【図２】
0003127983.tif 000004
【図３】
0003127983.tif 000005
【図４】
0003127983.tif 000006